(57)【特許請求の範囲】
【請求項１】
Ｘ線管と、Ｘ線管から照射され被検者を通過したＸ線を検出するＸ線検出器と、Ｘ線検出器より得られたデータを画像処理して表示する表示部とを備え、撮影目的に合わせて複数の撮影条件から目的とする撮影条件を選択して撮影を行うＸ線診断装置において、
装置の使用に関してオペレータによる装置の操作を支援するための複数の支援情報を記憶する記憶手段と、
オペレータによる各種選択を受け付ける入力手段と、
オペレータの選択により目的とする支援情報を検索により呼び出す検索手段と、
複数の検索条件に応じて複数の検索誘導画面を作成するとともに、前記検索手段により検索された条件該当項目と、前記条件該当項目から特定の項目を選択することにより前記記憶手段から呼び出した前記支援情報と、を前記表示部に表示する表示制御手段と、
を備え、
前記表示制御手段は、
第１の検索条件として、少なくとも診断部位、機能名称のいずれかからの検索を選択可能とする第１の検索誘導画面を作成し、
診断部位からの検索が選択された場合には、診断部位の各名称を第２の検索条件として選択可能に一覧表示し、機能名称からの検索が選択された場合には、装置が備える機能名称を第２の検索条件として選択可能に一覧表示する第２の検索誘導画面を作成し、
前記第１の検索条件と前記第２の検索条件に基づいて前記検索手段により検索された条件該当項目を、前記記憶手段に記憶された支援情報に対応付けて選択可能に一覧表示する第３の検索誘導画面を作成することを特徴とするＸ線診断装置。
【請求項２】
請求項１に記載のＸ線診断装置において、
前記表示制御手段は、第３の検索誘導画面に、前記条件該当項目とともに、各条件該当項目に対応付けられた適応症例と、機能の使用方法の項目を選択可能に設けるＸ線診断装置。
【請求項３】
請求項２に記載のＸ線診断装置において、
通信ネットワークを通じて支援情報の更新情報を取得する外部通信接続手段をさらに備え、
前記表示制御手段は、
前記第３の検索誘導画面に、前記条件該当項目とともに、各条件該当項目に対応付けられた前記外部通信接続手段により取得した最新の支援情報の項目を選択可能に設けるＸ線診断装置。
【請求項４】
請求項１から請求項３のいずれかに記載のＸ線診断装置において、
前記表示制御手段は、第３の検索誘導画面における選択に基づいて、前記記憶手段から呼び出された支援情報における撮影の実行に関係する各種パラメータを変更可能なパラメータ編集画面を作成し、前記表示部に表示するＸ線診断装置。
【発明の詳細な説明】
【技術分野】
【０００１】
この発明は、複数の撮影機能を備えるＸ線診断装置に関する。
【背景技術】
【０００２】
医療分野で使用されるＸ線診断装置においては、検査対象である患者の検査部位等により、撮影条件および撮影条件に対応したオペレータの操作手順が異なっている。このため、オペレータには、患者に応じて異なる操作手順を正確かつ迅速に実行していくことが要求される。このようなオペレータの操作負担を低減するため、患者に対応して予め登録されている検査部位を検索し、検査部位に対応するスキャンテクニックを既定値としてオペレータに提示する装置が提案されている（特許文献１参照）。
【０００３】
また、近年、このようなＸ線診断装置には、多様な検査・治療等に対応できるように、１台の装置に単純撮影、造影撮影、断層撮影、デュアルエナジー撮影、３次元再構成に必要な画像データを収集するための３Ｄ撮影等を実行可能とする多様な機能が搭載されている。しかし、これらの機能のうち使用頻度の低い機能については、オペレータが操作手順を覚えることができず、装置の操作に習熟するまでに時間がかかることが指摘されていた。このような場合のオペレータへの操作支援として、操作を行うに際して必要となる情報を操作履歴から抽出し、検査業務単位で管理することにより、過去の操作履歴に基づき装置の操作性を向上させるシステムを備えた装置が提案されている（特許文献２参照）。
【先行技術文献】
【特許文献】
【０００４】
【特許文献１】特開平０６−２２５８７２号公報
【特許文献２】特開２００８−２６９３９号公報
【発明の概要】
【発明が解決しようとする課題】
【０００５】
ところで、Ｘ線診断装置を使用した診断・治療の研究分野では、様々な症例への的確な診断および治療を可能とするため、装置に搭載されている各機能の応用使用例が紹介されている。一方で、Ｘ線診断装置が備える機能の新たな症例への使用例が紹介されても、それらの情報が活用されないこともしばしばおこる。その理由としては、それらの情報はドキュメント資料として紙に印刷された態様で配布されるため、膨大なドキュメント資料の中から必要情報を探し出さなければならない点においてオペレータの負担が大きいことがある。また、ある特定の症例に対する診断・治療においては、説明員の訪問による使い方の説明を受けなければ装置の操作をスムーズに行うことが難しい場合もある。このため、Ｘ線診断装置が備えるすべての機能を有効に使用できない状況も生じている。そして、ドキュメント資料の配布や説明員の訪問が遅くなると、有用な使用方法の普及が遅れることにもなる。
【０００６】
この発明は、上記課題を解決するためになされたものであり、治療・診断に有効な機能を適切に使用できるようにオペレータの操作を支援するＸ線診断装置を提供することを目的とする。
【課題を解決するための手段】
【０００７】
請求項１に記載の発明は、Ｘ線管と、Ｘ線管から照射され被検者を通過したＸ線を検出するＸ線検出器と、Ｘ線検出器より得られたデータを画像処理して表示する表示部とを備え、撮影目的に合わせて複数の撮影条件から目的とする撮影条件を選択して撮影を行うＸ線診断装置において、装置の使用に関してオペレータによる装置の操作を支援するための複数の支援情報を記憶する記憶手段と、オペレータによる各種選択を受け付ける入力手段と、オペレータの選択により目的とする支援情報を検索により呼び出す検索手段と、複数の検索条件に応じて複数の検索誘導画面を作成するとともに、前記検索手段により検索された条件該当項目と、前記条件該当項目から特定の項目を選択することにより前記記憶手段から呼び出した前記支援情報と、を前記表示部に表示する表示制御手段と、を備え、前記表示制御手段は、第１の検索条件として、少なくとも診断部位、機能名称のいずれかからの検索を選択可能とする第１の検索誘導画面を作成し、診断部位からの検索が選択された場合には、診断部位の各名称を第２の検索条件として選択可能に一覧表示し、機能名称からの検索が選択された場合には、装置が備える機能名称を第２の検索条件として選択可能に一覧表示する第２の検索誘導画面を作成し、前記第１の検索条件と前記第２の検索条件に基づいて前記検索手段により検索された条件該当項目を、前記記憶手段に記憶された支援情報に対応付けて選択可能に一覧表示する第３の検索誘導画面を作成することを特徴とする。
【０００８】
請求項２に記載の発明は、請求項１に記載の発明において、前記表示制御手段は、第３の検索誘導画面に、前記条件該当項目とともに、各条件該当項目に対応付けられた適応症例と、機能の使用方法の項目を選択可能に設ける。
【０００９】
請求項３に記載の発明は、請求項２に記載の発明において、通信ネットワークを通じて支援情報の更新情報を取得する外部通信接続手段をさらに備え、前記表示制御手段は、前記第３の検索誘導画面に、前記条件該当項目とともに、各条件該当項目に対応付けられた前記外部通信接続手段により取得した最新の支援情報の項目を選択可能に設ける。
【００１０】
請求項４に記載の発明は、請求項１から請求項３のいずれかに記載の発明において、前記表示制御手段は、第３の検索誘導画面における選択に基づいて、前記記憶手段から呼び出された支援情報における撮影の実行に関係する各種パラメータを変更可能なパラメータ編集画面を作成し、前記表示部に表示する。
【発明の効果】
【００１１】
請求項１に記載の発明によれば、複数の検索誘導画面を作成して検索誘導を行うことにより、オペレータは紙に印刷された膨大な量の情報から必要な情報を探しだす必要がなく、オペレータが必要とする支援情報に容易にたどり着くことができるとともに、装置が備える複数の撮影機能を有効に活用することが可能となる。
【００１２】
また、表示制御手段は、第１の検索条件として、少なくとも診断部位、機能名称のいずれかからの検索を選択可能とする第１の検索誘導画面を作成することから、オペレータは容易に情報検索を開始することができる。
【００１３】
請求項２に記載の発明によれば、表示制御手段は、第３の検索誘導画面に、条件該当項目とともに、各条件該当項目に対応付けられた適応症例と、機能の使用方法の項目を選択可能に設けることから、オペレータは撮影に関連する情報を効率的かつ容易に取得することができる。
【００１４】
請求項３に記載の発明によれば、通信ネットワークを通じて支援情報の更新情報を取得する外部通信接続手段を備えることから、記憶手段に格納される情報を最新の状態に保つことができ、最新の支援情報をオペレータに提供することが可能となる。
【００１５】
請求項４に記載の発明によれば、表示制御手段がパラメータ編集画面を作成し、表示部に表示することから、撮影目的に応じた撮影機能の選択から、被検者に応じた各種パラメータの変更に至るまでの操作過程を、一連の情報としてオペレータに提供することが可能となる。
【図面の簡単な説明】
【００１６】
【図１】この発明のＸ線診断装置の概要図である。
【図２】この発明のＸ線診断装置の主要な電気的構成を示すブロック図である。
【図３】表示部９に表示される画面遷移図である。
【図４】表示部９に表示される画面例を示す図である。
【図５】表示部９に表示される画面例を示す図である。
【図６】表示部９に表示される画面例を示す図である。
【図７】表示部９に表示される画面例を示す図である。
【図８】表示部９に表示される画面例を示す図である。
【発明を実施するための形態】
【００１７】
以下、この発明の実施の形態を図面に基づいて説明する。図１は、この発明のＸ線診断装置の概要図である。なお、このＸ線診断装置には、多様な検査・治療等に対応するため、単純撮影、造影撮影、断層撮影、デュアルエナジー撮影、３次元再構成に必要な画像データを収集するための３Ｄ撮影等を実行可能とする多様な機能が搭載されている。
【００１８】
このＸ線診断装置は、被検者１を載置するテーブル５と、被検者１に向けてＸ線を照射するＸ線管２と、被検者１を通過したＸ線を検出するＸ線検出器としてのフラットパネルディテクタ（ＦＰＤ）４とを備える。ＦＰＤ４とＸ線管２は対向配置され、図示しない移動機構により、被検者１に対して、互いに同期して移動するよう構成されている。なお、図１においては、ＦＰＤ４とＸ線管２は互いに同期して水平方向に移動する構成となっているが、ＦＰＤ４とＸ線管２がいわゆるＣ型アームに配設されている場合には、互いに同期して所定の角度範囲を円弧状の軌跡を描きながら移動する。また、テーブル５は、水平配置のテーブルに限定されるものではなく、被検者１を載置した状態で、床面との角度を変更できる構成とすることができる。
【００１９】
図２は、この発明のＸ線診断装置の主要な電気的構成を示すブロック図である。このＸ線診断装置は、装置全体を制御する制御部６を備える。制御部６は、Ｘ線管２に供給する管電流・管電圧を制御するＸ線管制御部３と、ＦＰＤ４と、後述する支援情報の最新更新情報を取得するためのネットワーク１１と、マウスやキーボードにより構成された入力部８と、液晶ディスプレイ等から構成された表示部９とに接続されている。なお、ＦＰＤ４により検出された信号は制御部６で画像処理され、静止撮影画像もしくは透視画像として表示部９に表示可能となっている。
【００２０】
制御部６は、ハードディスク等の記憶部７と、外部通信接続部１０と、管理モジュール２１と、表示制御部２２と、を有する。管理モジュール２１は、入力部８からの入力信号を受け付けて、記憶部７に格納され、診断部位、機能名称、適応症例等に対応づけられた複数の支援情報から、目的とする撮影に最適な支援情報を検索して呼び出す検索手段として機能する。また、管理モジュール２１は、ネットワーク１１への通信接続の可否を、外部通信接続部１０を介して管理する。このように、このＸ線診断装置では、ネットワーク１１上の外部サーバから、最新のＸ線撮影条件および適応症例等の支援情報を随時取得可能となっている。
【００２１】
管理モジュール２１への入力信号の送信は、オペレータが表示部９に選択可能に表示された文字列等のうち、選択したい文字列にカーソルを合わせてマウスボタン等を押すことより行われる。なお、表示部９にタッチパネルモニタを採用した場合には、タッチパネルモニタに表示された文字列等をオペレータが指などで押圧することにより、管理モジュール２１へ入力信号が送られる。
【００２２】
表示制御部２２は、管理モジュール２１への入力信号、すなわち、検索問い合わせに対応して、オペレータに対する操作支援のための後述する各種画面を作成するとともに、それらの画面を表示部９に順次表示する表示制御を実行する。そして、管理モジュール２１により記憶部７から検索抽出された支援情報は、表示制御部２２により画面の所定の位置に組み込まれ、表示部９に表示される。
【００２３】
次に、このＸ線診断装置におけるオペレータに対する操作支援のための画面表示について説明する。オペレータに対する支援情報の提供による操作支援は、操作支援実行のためのアプリケーションプログラムを起動することにより行われる。図３は、表示部９に表示される画面遷移図である。図４から図８は、表示部９に表示される画面例を示す図である。
【００２４】
プログラムを実行させると、図４に示す第１の検索誘導画面Ｄ３１が表示部９に表示される。この第１の検索誘導画面Ｄ３１では、「診断部位から検索する」と「機能名称から検索する」の文字列が選択可能に表示される。ここで、「診断部位から検索する」と表示された画像ボタンをオペレータが選択すると、図５に示す第２の検索誘導画面Ｄ３２が表示される。この第２の検索誘導画面Ｄ３２では、「頭部」、「胸部」、「心臓」、「腹部」、「四肢」等の診断部位が選択可能に一覧表示される。
【００２５】
図５に示す第２の検索誘導画面Ｄ３２の一覧から診断部位として「四肢」が選択されると、図６に示す第３の検索誘導画面Ｄ３３が表示される。この図６に示す第３の検索誘導画面Ｄ３３では、第１の検索誘導画面Ｄ３１で選択された「診断部位から検索する」との条件と、第２の検索誘導画面Ｄ３２で選択された「四肢」との条件を満たす条件該当項目が「四肢に有効な機能」として一覧表示される。図６に示すように、条件該当項目が「トモシンセシス」や「長尺撮影」などの撮影機能名称として表示されるとともに、それらの機能に対応する「使用方法」や「有効な症例」などの支援情報へオペレータを誘導する項目が、さらに選択可能に表示される。なお、この第３の検索誘導画面Ｄ３３では、オペレータは、マウス等を操作してスクロールバー４１を移動させることにより、画面に一覧表示された内容のすべてを見ることができるようになっている。
【００２６】
図６に示す第３の検索誘導画面Ｄ３３で「トモシンセシス」の「使用方法」が選択されると、管理モジュール２１を介して記憶部７から撮影の実行に関係する各種パラメータが読み出される。そして、図７に示すように、四肢に対するトモシンセシスで設定すべきパラメータの編集を行うことが可能なパラメータ編集画面Ｄ３５が表示される。パラメータ編集画面Ｄ３５には、パラメータの入力・変更が可能なパラメータボックス４２と、そのパラメータの説明および既定値等の支援情報と、画面を次に設定すべきパラメータの編集画面へ移行させるためのボタン４３等が表示される。オペレータがマウス等でボタン４３を押すことにより、画面は、パラメータごとに作成された編集画面へと順次移行する。なお、ボタン４３は、前の画面と次の画面とのどちらにも画面を移行させることができるように構成されている。
【００２７】
パラメータ編集画面Ｄ３５で設定するパラメータとしては、トモシンセシスがＦＰＤを活用して任意の断層面を提供する断層撮影機能であることから、四肢検査におけるトモシンセシスにおいては、例えば、テーブル５の表面から断層面までの高さなどがある。オペレータは、パラメータ編集画面Ｄ３５に表示されたパラメータの既定値情報を参照して、パラメータボックス４２に入力部８を用いて個々の被検者１に対して適切な値を入力する。なお、パラメータボックスには予め既定値を表示するようにしている。オペレータは、パラメータボックス４２の数値の変更・確認および編集画面を移行させる操作を繰り返し行うことにより、すべてのパラメータの設定を完了させることができる。
【００２８】
また、図６に示す第３の検索誘導画面Ｄ３３で「トモシンセシス」の「有効な症例」が選択されると、管理モジュール２１を介して記憶部７から四肢に有効な症例が読み出され、図８に示す症例説明画面Ｄ３４が表示される。この症例説明画面Ｄ３４には、例えば、「立位での両膝の観察」のように、どのような姿勢で四肢のどの部分の撮影を行うのかという観点から分類された項目と、その項目ごとに参考撮影像および症例を説明する文章が表示され、さらに、説明されている症例でのパラメータを適用してオペレータがパラメータ設定できるように、「この症例でのパラメータを適用する」の文字列が選択可能に表示される。なお、図８の症例説明画面Ｄ３４では、「立位での両膝の観察」の支援情報の表示のみを示しているが、オペレータは、マウス等を操作してスクロールバー４１を移動させることにより、他の姿勢（例えば臥位や逆傾斜位）で撮影を行う場合の支援情報や、四肢の中でも両膝以外の部分について撮影を行う場合の支援情報等も見ることができるようになっている。
【００２９】
そして、オペレータがこの症例説明画面Ｄ３４の「この症例でのパラメータを適用する」を選択すると、この症例に対応付けられた撮影の実行に関係する各種パラメータが記憶部７から読み出され、それらのパラメータに関する情報が反映されたパラメータ編集画面Ｄ３５が表示される。これにより、この症例でのパラメータを既定値として、さらにオペレータによる被検者１に対応したパラメータの最適化が容易に行えるようになる。
【００３０】
また、図６に示す第３の検索誘導画面Ｄ３３で「トモシンセシス」の「最新ニュース」が選択されると、例えば、３ヶ月以内に更新されたトモシンセシスによる撮影が有効である新たな症例を、図８に示す症例説明画面Ｄ３４のように、参考撮影像や症例の説明とともに一覧表示する。第３の検索誘導画面Ｄ３３で「最新ニュース」の項目を「使用方法」や「有効な症例」とは別に設けることにより、オペレータに使用経験のない機能や適用症例に関する情報を、迅速に提供することができる。
【００３１】
パラメータ編集画面Ｄ３５ですべてのパラメータの設定が終了すると、このＸ線診断装置での撮影の実行が可能な状態となる。設定されたパラメータの数値等は制御部６に送られ、オペレータによる撮影実行の指令が制御部６に入力されれば、それらの設定に基づいて、Ｘ線管２とＦＰＤ４の移動やＸ線照射等が実行されることになる。
【００３２】
また、図４に示す第１の検索誘導画面Ｄ３１において、「機能名称から検索する」の文字列が選択された場合には、「トモシンセシス」、「長尺撮影」、「ロードマップ透視」等の装置に搭載されている実行可能な機能名称が第２の検索誘導画面Ｄ３２のように一覧表示されることになる。そして、表示された機能名称の一つをオペレータが選択すると、その機能による撮影が可能な「四肢」や「胸部」等の部位の一覧が、第３の検索誘導画面Ｄ３３のように「適用可能な診断部位」として「使用方法」や「有効な症例」等の項目とともに表示される。
【００３３】
また、この実施形態では、第１の検索誘導画面Ｄ３１における選択開始のための選択項目は、「診断部位から検索する」と「機能名称から検索する」であるが、第１の検索誘導画面Ｄ３１に、病名や過去の使用履歴からの検索を可能とする項目を追加してもよい。
【符号の説明】
【００３４】
１ 被検者
２ Ｘ線管
３ Ｘ線管制御部
４ ＦＰＤ
５ テーブル
６ 制御部
７ 記憶部
８ 入力部
９ 表示部
１０ 外部通信接続部
１１ ネットワーク
２１ 管理モジュール
２２ 表示制御部
【図１】
0005510289.tif 000002
【図２】
0005510289.tif 000003
【図３】
0005510289.tif 000004
【図４】
0005510289.tif 000005
【図５】
0005510289.tif 000006
【図６】
0005510289.tif 000007
【図７】
0005510289.tif 000008
【図８】
0005510289.tif 000009